(57)【要約】【課題】商品の収容に係る作業性がよい包装箱を提供する。【解決手段】矩形状をなす底壁２を備え、該底壁２の左右に対向する一対の縁から側壁３Ａ，３Ｂを連設するとともに、底壁２の前後に対向する一対の縁から前後壁を連設し、隣接する前壁４と両側壁３Ａ，３Ｂおよび後壁５と両側壁３Ａ，３Ｂを連続部７によって連続するとともに、後壁５の先端に各壁を上向きに折り曲げた組立状態で形成される上端開口を閉塞する蓋部６を設けた包装箱１において、連続部７は、組立状態でその上端が前壁４の上端との間に所定の隙間を形成する構成とし、一対の側壁３Ａ，３Ｂの先端に内フラップ９を設けるとともに、該内フラップ９における前側に内方に突出する凸部１２を設け、前壁４の先端に、内フラップ９の凸部１２を巻き込んで先端を連続部７の上端に係止する桟部１３を設ける。【選択図】  図１
2004217274.tif 000002
【特許請求の範囲】
【請求項１】
矩形状をなす底壁を備え、該底壁の左右に対向する一対の縁から側壁を連設するとともに、前記底壁の前後に対向する一対の縁から前後壁を連設し、隣接する前壁と両側壁および後壁と両側壁を連続部によって連続するとともに、後壁の先端に前記各壁を上向きに折り曲げた組立状態で形成される上端開口を閉塞する蓋部を設けた包装箱において、
前記連続部は、組立状態でその上端が前記前壁の上端との間に所定の隙間を形成する構成とし、
一対の前記側壁の先端に内フラップを設けるとともに、該内フラップにおける前側に内方に突出する凸部を設け、
前記前壁の先端に、前記内フラップの凸部を巻き込んで先端を前記連続部の上端に係止する桟部を設けたことを特徴とする包装箱。
【請求項２】
前記桟部は、前壁と側壁との隅から前記凸部の基部に向けて傾斜する斜辺部を備え、
前記蓋部の両側に、内向きに折り曲げて重畳させる重畳部を設けるとともに、該重畳部の先端縁を前記斜辺部と略一致するように傾斜させたことを特徴とする請求項１に記載の包装箱。
【発明の詳細な説明】
【０００１】
【発明の属する技術分野】
本発明は、所定の商品を収容する包装箱に関するものである。
【０００２】
【従来の技術】
従来、水産物や農産物のうち、水分を含んだ商品を収容する場合には、発泡スチロールからなる変形不可能な包装箱が使用されている。しかし、この包装箱は、広い保管スペースを必要とするうえ、購入者も廃棄が面倒である。
【０００３】
そのため、折り曲げにより簡単に組み立てが可能で、保管の際にはフラットな状態にでき、購入者の廃棄も便利な包装箱の使用が希望されている。そこで、近年では、表紙および裏紙に耐水性に優れたミルクカートン材料を使用した段ボール紙からなる包装箱を使用している。
【０００４】
前記包装箱は、矩形状をなす底壁を備え、該底壁の左右に対向する一対の縁から側壁が連設され、前記底壁の前後に対向する一対の縁から前後壁が連設されている。また、隣接する前壁と両側壁、および、後壁と両側壁は、連続部によって連続され、組立作業性の向上が図られている。さらに、前壁の先端には、略Ｕ字形状の折返部が設けられ、その中央には、係止穴が設けられている。さらにまた、後壁の先端には、前記各壁を上向きに折り曲げた組立状態で形成される上端開口を閉塞する蓋部が設けられ、その中央には、前記係止穴に差し込んで閉塞状態を維持するための係止舌片が設けられている。
【０００５】
【発明が解決しようとする課題】
前記包装箱は、４方を囲繞する壁を連続部によって連続させているため、組立作業性はよいが、その内部に商品を収容する際に展開状態に復元しようとする力が生じるため、商品収容に係る作業性が悪いという問題がある。因みに、この復元の力により４方を囲繞する壁と底壁との角度が変わると、内部に収容可能な容積も変わるため、所定量の商品を内部に収容できない場合が生じる。
【０００６】
そこで、本発明では、商品の収容に係る作業性がよい包装箱を提供することを課題とするものである。
【０００７】
【課題を解決するための手段】
前記課題を解決するため、本発明の包装箱は、矩形状をなす底壁を備え、該底壁の左右に対向する一対の縁から側壁を連設するとともに、前記底壁の前後に対向する一対の縁から前後壁を連設し、隣接する前壁と両側壁および後壁と両側壁を連続部によって連続するとともに、後壁の先端に前記各壁を上向きに折り曲げた組立状態で形成される上端開口を閉塞する蓋部を設けた包装箱において、前記連続部は、組立状態でその上端が前記前壁の上端との間に所定の隙間を形成する構成とし、一対の前記側壁の先端に内フラップを設けるとともに、該内フラップにおける前側に内方に突出する凸部を設け、前記前壁の先端に、前記内フラップの凸部を巻き込んで先端を前記連続部の上端に係止する桟部を設けた構成としている。
【０００８】
前記包装箱によれば、前記桟部により凸部を巻き込んで連続部上に係止させることにより、前壁および両側壁を略凹字形状に仮組みした状態に保持することができる。そのため、この仮組み状態で商品の収容作業を行うことにより、その作業性を向上できる。
【０００９】
この包装箱では、前記桟部は、前壁と側壁との隅から前記凸部の基部に向けて傾斜する斜辺部を備え、前記蓋部の両側に、内向きに折り曲げて重畳させる重畳部を設けるとともに、該重畳部の先端縁を前記斜辺部と略一致するように傾斜させることが好ましい。このようにすれば、蓋部の剛性を向上できるため、搬送時の衝撃に耐える耐久性を大幅に向上できる。しかも、桟部により生じる上面部の段差を無くすことができるため、蓋部のガタツキを防止できるとともに、密閉性能を向上でき、保冷性能や保温性能を向上することができる。
【００１０】
【発明の実施の形態】
以下、本発明の実施の形態を図面に従って説明する。
図１から図７は、本発明の実施形態に係る包装箱１を示す。この包装箱１は、紙器打抜装置（図示せず）によって段ボール紙を図６に示す連続した一枚のブランクとして打ち抜いて成形される。なお、前記段ボール紙は、耐水性を有するミルクカートン材料からなる一対の表紙と裏紙との間に波状の中しんを配設したものである。
【００１１】
具体的には、この包装箱１のブランクは、図６に示すように、矩形状をなす底壁２と、該底壁２の左右に対向する一対の縁から連設した側壁３Ａ，３Ｂと、前記底壁２の前後に対向する一対の縁から連設した前壁４および後壁５と、前記後壁５の先端に設けた蓋部６とからなる。また、隣接する前記前壁４と両側壁３Ａ，３Ｂおよび後壁５と両側壁３Ａ，３Ｂは、連続部７によって連続されている。これらの各境界部分には、各壁３Ａ，３Ｂ，４，５を垂直上向きに折り曲げた組立状態で内面側に位置するように、肉厚を圧縮して形成した折曲線８が設けられている。
【００１２】
前記側壁３Ａ，３Ｂは、前記連続部７の肉厚を吸収するために、その全長が底壁２より若干小さくなるように形成されている。また、これら側壁３Ａ，３Ｂの先端には内向きに折り曲げる内フラップ９Ａ，９Ｂが設けられ、その境界部分には前記折曲線８と同様の折曲線１０が設けられている。前記内フラップ９Ａ，９Ｂの前側には、凹状に窪むように切欠部１１が設けられ、この切欠部１１により、先端に内方に突出する凸部１２が形成されている。前記切欠部１１は、後述する桟部１３を巻き込むように折り曲げる際の作業性を向上するため、その後側縁を後向きに傾斜させている。
【００１３】
前記前壁４には、前記内フラップ９Ａ，９Ｂの凸部１２を巻き込むようにして額縁状の縁を形成する桟部１３が設けられ、その境界部分には折曲線１４が設けられている。具体的には、この桟部１３は、前壁４の先端から内向きに屈曲され、両側の内フラップ９Ａ，９Ｂの上面にかけて重畳する上面部１５と、前記凸部１２の肉厚に相当する中間部１６と、前記凸部１２の下面に重畳する下面部１７とからなり、これらの境界部分には、ミシン目状に切断部と非切断部とを交互に繰り返す屈曲線１８が設けられている。
【００１４】
前記上面部１５は、前壁４と側壁３との隅から前記凸部１２の基部に向けて傾斜する斜辺部１５ａを備えている。また、前記上面部１５には、後述する蓋部６の係止舌片２３を挿入係止する係止穴１９を形成するための切断線２０が設けられている。また、その中央部には、係止状態を解除する際に指を当てるための切落部２１が半円形状に設けられている。
【００１５】
前記下面部１７は、後述する連続部７の上端に係止することにより、桟部１３によって凸部１２を巻き込んだ仮組み状態に保持できる寸法とされており、その中央には、係止状態を解除する際に指を引っ掛けるための切落部２２が半円形状に設けられている。
【００１６】
前記蓋部６は、底壁２から各壁３Ａ〜５を上向きに折り曲げた状態で形成される上端開口を閉塞するもので、その先端中央には、前記係止穴１９に挿入係止するための係止舌片２３が設けられ、その境界部分には折曲線２４が設けられている。また、本実施形態では、この蓋部６の両側には、内向きに折り曲げて重畳させる重畳部２５が設けられ、その境界部分には折曲線２６が設けられている。この重畳部２５は、その先端両側が前記桟部１３における斜辺部１５ａと略一致するように傾斜する斜辺部２５ａとされている。
【００１７】
前記連続部７は、隣接する壁３Ａ，３Ｂ，４，５をそれぞれ連続させることにより、組立作業性を向上するためのもので、その中央には、底壁２との交差位置から対角方向に延びる折曲線２７が設けられている。この折曲線２７は、前記各折曲線８，１０，１４，２４，２６とは異なり、組立状態で外面側に位置するように肉厚を圧縮して形成されている。また、この連続部７は、組立状態でその上端が前記前壁４の上端との間、言い換えれば、桟部１３を構成する上面部１５との間に、下面部１７の肉厚と略同一の隙間を形成するように、その全高が設定されている。さらに、この連続部７の角部は、反発力を低下させるために矩形状に切り落とされている。
【００１８】
このような構成で打ち抜かれたブランクは、図７に示すように、前記連続部７において、折曲線２７を境界として前壁４または後壁５と連続する領域に接着剤を塗布する。そして、図中、上下方向に連続する底壁２、前壁４、後壁５、蓋部６および桟部１３に対して、左側の側壁３Ａ、連続部７および重畳部２５を折り曲げた後、右側の側壁３Ｂ、連続部７および重畳部２５を折り曲げる。これにより、連続部７の半分の領域と前壁４および後壁５を接着することにより、図示のようにフラットな状態で出荷および保管される。そのため、これらに係るスペースの問題を防止できる。
【００１９】
また、前記包装箱１を組み立てて使用する場合には、例えば、側壁３Ａ，３Ｂを把持し、図２に示すように、これらを垂直方向に立ち上げるように広げる。これにより、連続部７を介して連続させた前壁４および後壁５が連動して立ち上がる。
【００２０】
ついで、前壁４に対して桟部１３を折り曲げて内フラップ９Ａ，９Ｂ上に重畳させるとともに、凸部１２に対して巻き込むように折り曲げる。そして、凸部１２の下側に位置する下面部１７を上面部１５の側に押し上げることにより、下面部１７の先端が連続部７の上端に係止し、図３に示す仮組み状態となる。また、この桟部１３の折り曲げにより、蓋部６を係止するための係止穴１９が現れる。
【００２１】
この仮組み状態では、図４に示すように、桟部１３の先端と連続部７の上端との係止、および、桟部１３で凸部１２を巻き込むことによる係止により、前壁４と側壁３Ａ，３Ｂとの縁がそれぞれ密着した状態を維持でき、確実に凹字形状に保持される。また、連続部７により多数層に重畳した状態になるため、その綾部の剛性が非常に高い。そして、この仮組み状態で内部に商品を収容させるため、その作業性を大幅に向上できる。また、この仮組み状態は、本来収容可能な容積と何ら変わらないため、各包装箱１毎に収容する商品の容量が異なるという不都合も生じることはない。
【００２２】
しかも、この仮組み状態の包装箱１は、切断した端面が殆ど露出しない状態になる。その結果、水を含んだ水産物などを収容させる場合に、その水が耐水性のない端面から内部に浸透し、自身の強度が低下することを抑制できる。
【００２３】
このようにして、商品を収容し終えると、後壁５に対して蓋部６を折り曲げ、その先端の係止舌片２３を前記係止穴１９に差し込むことにより、図５に示すように、壁３Ａ〜５からなる上端開口を閉塞する。
【００２４】
この蓋部６による閉塞状態では、桟部１３の斜辺部１５ａと蓋部６の重畳部２５の斜辺部２５ａとの傾斜が略一致し、桟部１３における上面部１５の両側に重畳部２５が位置する。これにより、桟部１３における上向きに突出した段差を無くすことができ、蓋部６のガタツキを防止できる。
【００２５】
しかも、包装箱１の密閉性能を向上でき、その結果、保冷性能や保温性能を向上することができる。これにより、例えば、水産物を収容する場合には周知の保冷材を一緒に収容させることにより、鮮度を維持することができる。しかも、表裏紙にミルクカートン材料を使用した段ボール紙からなることも伴い、外部に液体が流出することはない。
【００２６】
また、蓋部６は、重畳部２５により剛性が高められているため、商品を収容し終えた包装箱１を積み重ねても、変形することを抑制できる。そのうえ、搬送時の衝撃に耐える耐久性を大幅に向上できる。
【００２７】
なお、本発明の包装箱１は、前記実施形態の構成に限定されるものではなく、種々の変更が可能である。
【００２８】
例えば、前記実施形態では、包装箱１を表紙および裏紙に耐水性に優れたミルクカートン材料を使用した段ボール紙により形成したが、耐水性がない周知の段ボール紙やボール紙（単紙）により形成してもよい。
【００２９】
【発明の効果】
以上の説明から明らかなように、本発明の包装箱では、桟部により凸部を巻き込んで連続部上に係止させることにより、前壁および両側壁を略凹字形状に仮組みした状態に保持することができる。そのため、この仮組み状態で商品の収容作業を行うことにより、その作業性を向上できる。
【００３０】
また、桟部に形成した斜辺部と、蓋部の内側に設けた重畳部の先端縁とを略一致させることにより、蓋部の剛性を向上できるうえ、桟部により生じる上面部の段差を無くして密閉性能を向上できるとともに、蓋部のガタツキを防止できる。
【図面の簡単な説明】
【図１】本発明の実施形態に係る包装箱を示す断面図である。
【図２】包装箱の第１の組立工程を示す斜視図である。
【図３】包装箱の第２の組立工程を示す斜視図である。
【図４】図３の要部拡大斜視図である。
【図５】包装箱の組立状態を示す斜視図である。
【図６】包装箱の展開状態を示す平面図である。
【図７】包装箱の保管状態を示す平面図である。
【符号の説明】
１…包装箱、２…底壁、３Ａ，３Ｂ…側壁、４…前壁、５…後壁、６…蓋部、７…連続部、９Ａ，９Ｂ…内フラップ、１２…凸部、１３…桟部、１５…上面部、１５ａ…斜辺部、１６…中間部、１７…下面部、１９…係止穴、２３…係止舌片、２５…重畳部、２５ａ…斜辺部。
【図１】
2004217274.tif 000003
【図２】
2004217274.tif 000004
【図３】
2004217274.tif 000005
【図４】
2004217274.tif 000006
【図５】
2004217274.tif 000007
【図６】
2004217274.tif 000008
【図７】
2004217274.tif 000009